(57)【要約】【課題】本発明は、救出口による影響を受けることなく、かご室内に供給される空気の風速を均一にさせることができ、かご室内の清浄度を向上させることができるクリーンエレベータ用のかご装置を得ることを目的とするものである。【解決手段】かご室本体１の上部には、天井枠９及びクリーンユニット取付枠１０設けられている。天井枠９には、第１天井部材１１、及び複数の第２天井部材１２が取り付けられている。かご室本体２の上部には、クリーンユニット取付枠１０を介してクリーンユニット１４が載置されている。クリーンユニット１４の上面部の中央には、救出口１４ｂが設けられている。第１天井部材１１は、救出口１４ｂ側から着脱可能となっている。第１メインフィルタ２５は、救出口１４ｂ側から着脱可能となっている。【選択図】図１
2008127123.tif 000002
【特許請求の範囲】
【請求項１】
天井部及び上面部の間の空間である天井裏空間と、床部及び底面部の間の空間である床下空間とを有し、上面部に開閉可能な救出口が設けられたかご室本体、
上記かご室本体の天井部に取り付けられ、かつ複数の通気孔が設けられ、上記救出口の領域に臨む箇所が着脱可能な天井部材、
上記かご室本体の床部に取り付けられ、複数の通気孔が設けられた床部材、
上記床下空間の空気を上記天井裏空間へ導く空気流路を形成する空気流路形成部材、
上記天井裏空間内で上記かご室本体の上面部に対して平行になるように設けられ、上記救出口の領域に臨む箇所が着脱可能な空気清浄用のメインフィルタ、及び
上記空気流路に接続され、上記空気流路を介して上記かご室本体内から吸入した空気を、上記メインフィルタを通して上記かご室本体内に供給するファン
を備えていることを特徴とするクリーンエレベータ用のかご装置。
【請求項２】
上記空気流路形成部材の上記床下空間との接続部には、ごみ排除用の床下プレフィルタが取り付けられており、
上記床部材は、上方から着脱可能になっていることを特徴とする請求項１記載のクリーンエレベータ用のかご装置。
【請求項３】
上記ファンの吸入部、及び上記空気流路形成部材の少なくともいずれか一方には、ごみ排除用の網状部材が取り付けられていることを特徴とする請求項２記載のクリーンエレベータ用のかご装置。
【請求項４】
上記ファンを格納するファンボックスと、上記メインフィルタを格納するフィルタボックスとを有し、上記かご室本体の天井部の上側に載置され、上記かご室本体の上面部を構成しつつ上記天井裏空間を形成するクリーンユニット
をさらに備え、
上記ファンボックスは、上面部の幅方向の端部に配置されており、
上記ファンボックスには、ごみ排除用の上部プレフィルタによって覆われ、上記ファンが昇降路内の空気を取り入れるための空気取入口が設けられていることを特徴とする請求項１から請求項３までのいずれか１項に記載のクリーンエレベータ用のかご装置。
【請求項５】
上記ファンボックスには、上側から開閉可能な外部ファン点検口と、上記かご室本体内側から開閉可能な内部ファン点検口とが設けられていることを特徴とする請求項４記載のクリーンエレベータ用のかご装置。
【請求項６】
上記かご室本体の出入口を開閉するかごの戸
をさらに備え、
上記かごの戸の戸開方向側の側面、及び脚部の少なくともいずれか一方には、上記かご室本体の出入口との間の隙間を埋めるための遮蔽部材が取り付けられていることを特徴とする請求項１から請求項５までのいずれか１項に記載のクリーンエレベータ用のかご装置。
【発明の詳細な説明】
【技術分野】
【０００１】
この発明は、例えば複数階に渡ってクリーンルームが設けられた建物等に適用され、浄化された空気をかご室内に供給するクリーンエレベータ用のかご装置に関するものである。
【背景技術】
【０００２】
従来のクリーンエレベータでは、かご天井部の中央に設けられた救出口（脱出口）の周囲に配設されたフィルタにより浄化された空気がかご室内に供給されている（例えば、特許文献１参照）。
【０００３】
【特許文献１】特開平９−３０７５９号公報
【発明の開示】
【発明が解決しようとする課題】
【０００４】
上記のような従来のクリーンエレベータでは、かごの上部における空気の流路が脱出口を避けるように形成されており、かご室内に供給される空気の風速にむらが生じていた。これにより、かご室内に塵が滞留してしまう箇所が存在するため、かご室内の清浄度を均一に保てなくなり、かご室内の清浄度が低下していた。
【０００５】
この発明は、上記のような課題を解決するためになされたものであり、救出口による影響を受けることなく、かご室内に供給される空気の風速を均一にさせることができ、かご室内の清浄度を向上させることができるクリーンエレベータ用のかご装置を得ることを目的とする。
【課題を解決するための手段】
【０００６】
この発明に係るクリーンエレベータ用のかご装置は、天井部及び上面部の間の空間である天井裏空間と、床部及び底面部の間の空間である床下空間とを有し、上面部に開閉可能な救出口が設けられたかご室本体、かご室本体の天井部に取り付けられ、かつ複数の通気孔が設けられ、救出口の領域に臨む箇所が着脱可能な天井部材、かご室本体の床部に取り付けられ、複数の通気孔が設けられた床部材、床下空間の空気を天井裏空間へ導く空気流路を形成する空気流路形成部材、天井裏空間内でかご室本体の上面部に対して平行になるように設けられ、救出口の領域に臨む箇所が着脱可能な空気清浄用のメインフィルタ、及び空気流路に接続され、空気流路を介してかご室本体内から吸入した空気を、メインフィルタを通してかご室本体内に供給するファンを備えたものである。
【発明の効果】
【０００７】
この発明のクリーンエレベータ用のかご装置は、天井部材及びメインフィルタの救出口の領域に臨む箇所が着脱可能となっているので、天井部の全面からかご室本体内に、浄化された空気が層流状に供給されることにより、救出口による影響を受けることなく、かご室内に供給される空気の風速を均一にさせることができ、かご室本体内の清浄度を向上させることができる。
【発明を実施するための最良の形態】
【０００８】
以下、この発明を実施するための最良の形態について、図面を参照して説明する。
実施の形態１．
図１は、この発明の実施の形態１によるクリーンエレベータ用のかご装置の概略を示す背面図である。図２は、図１のＩＩ−ＩＩ線に沿う断面図である。
図において、昇降路内を昇降されるかご室本体１は、前面部１ａ、背面部１ｂ、第１側面部１ｃ、第２側面部１ｄ、天井部１ｅ、床部１ｆ及び底面部１ｇを有している。前面部１ａには、かご出入口１ｈ及び敷居部１ｉが設けられている。また、前面部１ａは、かご出入口１ｈの側面を形成する一対の袖壁部材２と、袖壁部材２の上部を架け渡し、かご出入口１ｈの天井を形成する上板３とによって構成されている。かご出入口１ｈは、敷居部１ｉに下部の摺動が案内される一対のかごの戸４によって開閉される。
【０００９】
背面部１ｂ、第１側面部１ｃ、第２側面部１ｄ及び底面部１ｇは、外壁部材５によって構成されている。かご室本体２内の第１及び第２側面部１ｃ，１ｄの内側には、外壁部材５から間隔をおいて、第１及び第２側面部１ｃ，１ｄに平行な内壁部材６が設けられている。第１及び第２側面部１ｃ，１ｄの外壁部材５と内壁部材６とは、側部空気流路（環気ダクト）１ｊを形成している。即ち、外壁部材５と内壁部材６との組み合わせによって、空気流路形成部材が構成されている。内壁部材６と底面部１ｇの外壁部材５との間には、複数の接続口（環気口）７ａが設けられたプレフィルタ取付枠７が介在されている。プレフィルタ取付枠７には、各接続口７ａを覆う複数の床下プレフィルタ８が取り付けられている。なお、図３は、図１のかご室本体１の下部を拡大して示す側面図である。
【００１０】
かご室本体１の上部には、天井枠９及びクリーンユニット取付枠１０設けられている。天井枠９には、第１天井部材１１、及び複数の第２天井部材１２が取り付けられている。第１及び第２天井部材１１，１２は、天井部１ｅを構成している。また、第１及び第２天井部材１１，１２は、多数の天井部通気孔が全面に設けられたパンチングメタルである。床部１ｆは、かご室本体１内の下部に着脱可能に取り付けられた複数枚のグレーチング材１３によって構成されている。各グレーチング材１３の全面には、多数の床部通気孔が形成されている。床部１ｆと底面部１ｇとの間には、床下空間が設けられており、この床下空間は、かご室本体１内の空気を吸入するための吸入空間（床下環気ボックス）１ｋを構成している。
【００１１】
かご室本体２の上部には、クリーンユニット取付枠１０を介してクリーンユニット１４が載置されている。クリーンユニット１４の内部には、かご室本体２内へ空気を供給するための天井裏空間としての供給空間１４ａが設けられている。また、クリーンユニット１４の上面部の中央には、救出口１４ｂが設けられている。救出口１４ｂは、かご室本体２の外部から開閉可能な救出口開閉蓋（天蓋）１５によって覆われている。さらに、クリーンユニット１４の幅方向の両端部には、ファンボックス１６がそれぞれ設けられている。
【００１２】
ファンボックス１６の底面部には、開放部１６ａが設けられており、ファンボックス１６は、開放部１６ａを介して側部空気流路１ｊに接続されている。また、ファンボックス１６の底面部には、開放部１６ａを幅方向に架け渡す複数のファン取付台１７と、開放部１６ａを覆うごみ排除用の金網（網状部材）１８とが設けられている。さらに、ファンボックス１６内には、ファン取付台１７に載置され、かご室本体２内の空気を循環させるための複数のファン１９が格納されている。
【００１３】
ファン１９は、ファンボックス１６及び側部空気流路１ｊの内部の空気を吸入するための吸気部と、吸入した空気を排出するための排気部とを有している。ファン１９の排気部は、筒状の中継ダクト部材２０と、ファンボックス１６の供給空間１４ａ側の壁部に設けられた接続口とを介して、供給空間１４ａに接続されている。さらにまた、ファンボックス１６の供給空間１４ａ側の壁部の下方には、供給空間１４ａ側から開閉可能な内部ファン点検口１６ｂが設けられている。（なお、図１中の内部ファン点検口１６ｂ箇所の１点鎖線は、内部ファン点検口１６ｂの開放状態を示す。）
【００１４】
また、一対のファンボックス１６の供給空間１４ａ側の壁部同士の間には、フィルタ取付枠２１が架け渡されている。フィルタ取付枠２１には、複数の蝶ねじ２２が救出口１４ｂ側から螺着されることによって、第１フィルタボックス２３が取り付けられている。フィルタ取付枠２１の第１フィルタボックス２３の周囲の箇所には、複数の第２フィルタボックス２４が取り付けられている。第１及び第２フィルタボックス２３，２４には、多数の通気孔（図示せず）が設けられている。また、第１フィルタボックス２３内には、空気清浄用の第１メインフィルタ２５が格納されている。第２フィルタボックス２４内には、空気清浄用の第２メインフィルタ２６が格納されている。第１及び第２メインフィルタ２５，２６は、ＵＬＰＡ（Ｕｌｔｒａ  Ｌｏｗ  Ｐｅｎｅｔｒａｔｉｏｎｓ  Ａｉｒ）フィルタである。
【００１５】
図４は、図１のクリーンユニット１４及びファンボックス１６を示す上面図である。ファンボックス１６には、ファン１９に電源を供給するための電源ユニット（図示せず）が格納された電源ボックス２７が設けられている。電源ボックス２７は、ファンボックス１６の上面側から開閉可能となっている。さらにまた、ファンボックス１６の中央部には、ファンボックス１６の上面側から開閉可能な外部ファン点検口１６ｃが設けられている。また、ファンボックス１６には、昇降路内の空気を取り入れるための空気取入口１６ｄが設けられている。空気取入口１６ｄは、上部プレフィルタ２８によって覆われている。
【００１６】
ここで、第１及び第２天井部材１１，１２の取付状態と、第１及び第２メインフィルタ２５，２６の取付状態にとについて具体的に説明する。図５は、図１のＶ−Ｖ線に沿う断面図である。天井部材取付枠９の下面には、複数の照明器具（蛍光灯）２９が取り付けられている。また、天井部材取付枠９は、複数本（４本）の長辺部材により構成されている。
【００１７】
さらに、天井部材取付枠９は、長辺部材の組み合わせによって、かご室本体１内の水平面を、救出口１４ｂの領域に臨む第１天井部材取付領域９ａと、救出口１４ｂの周囲の領域の領域に臨む第２〜第５天井部材取付領域９ｂ〜９ｅとに区画している。第１天井部材１１は、第１天井部材取付領域９ａに配置されており、第２天井部材１２は、第２〜第５天井部材取付領域９ｂ〜９ｅに配置されている。従って、第１天井部材１１は救出口１４ｂの領域に臨み、救出口１４ｂ側から着脱可能となっている。なお、第２天井部材１２は、かご室本体１内から着脱可能となっている。
【００１８】
図６は、図１のＶＩ−ＶＩ線に沿う断面図である。フィルタ取付枠２１は、天井部材取付枠９と同様に、長辺部材の組み合わせによって、かご室本体１内の水平面を、救出口１４ｂの領域に臨む第１フィルタ取付領域２１ａと、救出口１４ｂの周囲の領域に臨む第２〜第５天井部材取付領域２１ｂ〜２１ｅとに区画している。第１フィルタボックス２３及び第１メインフィルタ２５は、第１フィルタ取付領域２１ａに配置されている。第２フィルタボックス２４及び第２メインフィルタ２６は、第２〜第５天井部材取付領域２１ｂ〜２１ｅに配置されている。従って、第１メインフィルタ２５は、救出口１４ｂの領域に臨み、救出口１４ｂ側から着脱可能となっている。
【００１９】
次に、かごの戸４について具体的に説明する。図７は、図２の袖壁２及びかごの戸４を拡大して示す平面図である。かごの戸４の戸開方向側の側面には、高さ方向に互いに間隔をおいて、複数本のスタッドボルト３０が固着されている。スタッドボルト３０には、袖壁２とかごの戸４との間の隙間を埋める側部遮蔽部材３１、側部遮蔽部材３１に平行な取付板３２、及びワッシャ３３が挿入されており、ナット３４が螺着されている。即ち、側部遮蔽部材３１は、スタッドボルト３０にナット３４が羅着されることによって、かごの戸４の戸開方向側の側面に取り付けられている。
【００２０】
図８は、図１の敷居部１ｉとかごの戸４の下部とを拡大して示す正面図である（かご室本体１外部から見た図）。図９は、図８のＩＸ−ＩＸ線に沿う断面図である。かごの戸４の下部には、断面Ｌ字状の下部補強材３５が固着されている。下部補強材３５には、複数の取付座３６が設けられている。また、下部補強材３５には、かごの戸４と敷居部１ｉとの間の隙間を埋めるための脚部遮蔽部材３７と、敷居部１ｉに挿入される脚部材３８とが、各取付座３６にボルト３９が螺着されることによって取り付けられている。
【００２１】
次に、動作について説明する。図１０は、図１のファン１９による換気動作を説明するための説明図である（かご室本体１内に人荷が乗車している状態を示す）。まず、電源スイッチ（図示せず）が操作されることにより、ファン１９の回転が開始され、ファン１９の回転によって、かご室本体１内の空気が、グレーチング材１３の床部通気口と、接続口７ａと、床下プレフィルタ８とを通して、側部空気流路１ｊへと吸い込まれる。このときに、かご室本体１内の人荷（乗客及び荷物）から落下したごみや埃等は、床下プレフィルタ８に収集される。
【００２２】
そして、床下プレフィルタ８を通過した空気は、側部空気流路１ｊからファンボックス１６へ吸入されて、ファン１９の吸気口からファン１９内に吸い込まれる。ファン１９内に吸い込まれた空気は、ファン１９の回転によって、供給空間１４ａへ排出され、第１及び第２メインフィルタ２５，２６により浄化（集塵）されて、第１及び第２天井部材１１，１２の天井部通気孔から、かご室本体１内に層流状に供給される。そして、かご室本体１内を流れる空気は、グレーチング材１３の床部通気口と、接続口７ａと、床下プレフィルタ８とを通して、側部空気流路１ｊへと再び吸い込まれる。
【００２３】
また、ファン１９の回転によって、空気取入口１６ｄから昇降路内の空気がファンボックス１６内に吸入され、側部空気流路１ｊからの空気とともに供給空間１４ａへ排出される。これにより、かごの戸４周辺からかご室本体１外部へ流出した空気が、空気取入口１６ｄから吸入された空気によって補われる。
【００２４】
上記のようなクリーンエレベータ用のかご装置では、救出口１４ｂの領域に臨む第１天井部材１１及び第１メインフィルタ２５が着脱可能となっているので、天井部１ｅの全面からかご室本体１内に、浄化された空気が層流状に供給されることにより、救出口１４ｂによる影響を受けることなく、かご室本体１内に供給される空気の風速を均一にさせることができ、かご室本体１内の清浄度を向上させることができる。これによって、半導体部品等の高度な清浄度が必要な部品であってもかご室本体１内に積載して搬送することができる。
【００２５】
また、グレーチング材１３が上方から着脱可能となっているので、床下プレフィルタ８点検時の作業効率を向上させることができる。
【００２６】
さらに、人荷から落下したごみ・埃類が床下フィルタ８と金網１８によって収集されるので、第１及び第２メインフィルタ２５，２６に掛かる負荷を軽減させることができる。これとともに、ファン１９の吸入部に金網１８が取り付けられているので、床下プレフィルタ８が破損した場合に、大きなごみが供給空間１４ａへ侵入することを防止することができる。
【００２７】
さらにまた、かごの戸４周辺からかご室本体１外部へ流出した空気が、空気取入口１６ｄから吸入された空気によって補われるので、浄化された空気をかご室本体１内に安定して供給することができる。
【００２８】
また、ファンボックス１６に内部点検口１６ｂ及び外部点検口１６ｃが設けられているので、ファン１９点検時の作業効率を向上させることができる。
【００２９】
さらに、かごの戸４の戸開方向側の側面に側部遮蔽部材３１が取り付けられ、かごの戸４の下部に脚部遮蔽部材３６が取り付けられているので、かごの戸４とかご出入口１ｈとの間の隙間が遮蔽されることにより、かご室本体１内の浄化された空気がかご室本体１外部へ流出することを最小限に抑えることができる。
【００３０】
なお、実施の形態１では、４枚の第２天井部材１２及び第２メインフィルタ２６が用いられていたが、第２天井部材１２及び第２メインフィルタ２６は、４枚に限るものではなく、１〜３枚又は５枚以上であってもよい。
【図面の簡単な説明】
【００３１】
【図１】この発明の実施の形態１によるクリーンエレベータ用のかご装置の概略を示す背面図である。
【図２】図１のＩＩ−ＩＩ線に沿う断面図である。
【図３】図３は、図１のかご室本体の下部を拡大して示す側面図である。
【図４】図１のクリーンユニット１４及びファンボックス１６を示す上面図である。
【図５】図１のＶ−Ｖ線に沿う断面図である。
【図６】図１のＶＩ−ＶＩ線に沿う断面図である。
【図７】図２の袖壁及びかごの戸を拡大して示す平面図である。
【図８】図１の敷居部とかごの戸の下部とを拡大して示す正面図である。
【図９】図８のＩＸ−ＩＸ線に沿う断面図である。
【図１０】図１のかご室本体及びクリーンユニット内での空気の流れを説明するための説明図である。
【符号の説明】
【００３２】
１  かご室本体、１ｆ  床部、１ｇ  底面部、１ｅ  天井部、１ｈ  かご出入口、１ｊ  側部空気流路、１ｋ  吸入空間（床下空間）、２  袖壁部材、４  かごの戸、８  床下プレフィルタ、１１  第１天井部材、１２  第２天井部材、１４  クリーンユニット  、１４ａ  供給空間（天井裏空間）、１４ｂ  救出口、１６  ファンボックス、１６ｂ  内部ファン点検口、１６ｃ  外部ファン点検口、１６ｄ  空気取入口、１８  金網（網状部材）、１９  ファン、２３  第１フィルタボックス、２４  第２フィルタボックス、２５  第１メインフィルタ、２６  第２メインフィルタ、２８  上部プレフィルタ、３１  側部遮蔽部材、３７  脚部遮蔽部材、３８  脚部材（脚部）。
【図１】
2008127123.tif 000003
【図２】
2008127123.tif 000004
【図３】
2008127123.tif 000005
【図４】
2008127123.tif 000006
【図５】
2008127123.tif 000007
【図６】
2008127123.tif 000008
【図７】
2008127123.tif 000009
【図８】
2008127123.tif 000010
【図９】
2008127123.tif 000011
【図１０】
2008127123.tif 000012